(57)【要約】【課題】ビールを蒸発させて食べ物に染み込むようにすることで、食べ物を軟らかいながらもおいしく調理できるようにする食べ物調理装置を提供する。【解決手段】本発明の食べ物調理装置１００は、内部空間に調理室を備える本体１０１と、上記調理室に配置される回転軸１０３に動力を伝達して上記回転軸を回転させる回転モータ１０２と、上記回転軸と連結され、上記回転軸の回転に連動して回転する複数の回転板１０４と、上記回転板の各々の上部に脱着可能に形成されるホルダー１０６と、上記調理室の内側面に設けられて熱を発生させる複数の発熱装置１０５と、を含む。【選択図】図１
2011038765.tif 000002
【特許請求の範囲】
【請求項１】
内部空間に調理室を備える本体と、
前記調理室に配置される回転軸に動力を伝達して前記回転軸を回転させる回転モータと、
前記回転軸と連結され、前記回転軸の回転に連動して回転する複数の回転板と、
前記回転板の各々の上部に脱着可能に形成され、食べ物から排出される油を受ける排油樋部と、前記排油樋部の上部に形成され、ビールが蒸発するようにビールを収容可能であり、前記食べ物を固定させるビール収容部とを含むホルダーと、
前記調理室の内側面に設けられて熱を発生させる複数の発熱装置と、
を含むことを特徴とする食べ物調理装置。
【請求項２】
前記発熱装置は、
近赤外線を照射する近赤外線ランプを含み、
前記近赤外線ランプと前記本体の側面との間に設けられ、前記近赤外線ランプの方に開放されて前記近赤外線ランプの一部を包囲するように形成される反射板をさらに含むことを特徴とする請求項１に記載の食べ物調理装置。
【発明の詳細な説明】
【技術分野】
【０００１】
本発明は、食べ物調理装置及びその食べ物調理装置の動作方法に関するものである。
【背景技術】
【０００２】
一般に、鶏は昔から多くの人々に愛用されている栄養食品であって、特に鶏肉は蛋白質の含有量及び必須脂肪酸の含有量が高く、それに比べて脂肪の含有量が低い、かつ他の肉類に比べてカロリーが低くて、優れた健康食品と認識されている。また、鶏肉は他の肉類に比べて値段が安く、調理が速く、やさしく噛むことが容易なので、消化率が高いだけでなく、香りが軟らかくて他の香辛料や食品との調和が優れるものである。
【０００３】
そして、鶏肉は多様な料理方法が開発されて、子供をはじめとする老若男女層に至る多様な階層の人々の口当りを充足させている。鶏を用いた最も代表的な食べ物にはチキンがあり、上記チキン料理は通常的な鶏を切断した後、練った天ぷら粉を塗って加熱した油で揚げる食べ物を称する意味として使われる。
【０００４】
鶏肉を調理する時には、油で揚げたり、水に浸けて煮たり、火に直接加熱する等の方法を使用している。例えば、油で揚げるフライドチキンの調理方法には、水練りを肉鶏の表面に被せて油で揚げる方法、水練りの代りにパウダーを肉鶏の表面に被せて油で揚げる方法、水練りを肉鶏の表面に被せてその上にさらにパウダーを被せた後、油で揚げる方法などがある。このようなフライドチキンは、表面のパウダーや水練り部分が調理後にかさかさに噛める感じを有すると共に、内部の肉質はしっとりとした感触を維持するようになって多くの人々が好んで食べる食べ物の１つである。
【０００５】
しかしながら、このような従来の調理方法を用いてチキンを調理する場合、胸肉などの肉質がしこしことしなくて、かさかさしてチキンの味を落とす問題がある。ここに、ビールを用いて胸肉などの肉質がしこしことし、軟らかいながらもおいしく料理できるようにし、短い時間にチキンが焦げるとか、生煮えになることなく、衛生的に大量調理できる食べ物調理装置及び方法の開発が必要な実状である。
【発明の概要】
【発明が解決しようとする課題】
【０００６】
本発明の目的は、ビールを蒸発させて食べ物に染み込むようにすることで、食べ物を軟らかいながらもおいしく調理できるようにする食べ物調理装置及びその動作方法を提供することにある。
【０００７】
本発明の他の目的は、複数の回転板の各々に置かれる多数個のホルダーを用いて食べ物を大量に調理できるようにする食べ物調理装置及びその動作方法を提供することにある。
【０００８】
本発明の更に他の目的は、近赤外線ランプから照射される近赤外線を用いて食べ物を調理することで、調理時間を短縮できるようにする食べ物調理装置及びその動作方法を提供することにある。
【０００９】
本発明の更なる他の目的は、ホルダーに備えられた排油樋部を通じて食べ物から排出される油が外に流れることを防止することによって、衛生的に食べ物を調理できるようにする食べ物調理装置及びその動作方法を提供することにある。
【００１０】
本発明の更に他の目的は、反射板を用いて近赤外線ランプから照射される近赤外線を反射することで、近赤外線の消耗を最小化して、食べ物をより速くまんべんなく調理できるようにする食べ物調理装置及びその動作方法を提供することにある。
【００１１】
本発明の更に他の目的は、複数の調光器を用いて各近赤外線ランプの明るさを調節することによって、食べ物が焦げるとか、生煮えになることなく、適切に煮えるようにする食べ物調理装置及びその動作方法を提供することにある。
【００１２】
本発明が解決しようとする課題は、前述した課題に限定されず、言及されていない更に他の課題は下記の記載から当業者に明確に理解できる。
【課題を解決するための手段】
【００１３】
本発明の一実施態様に従う食べ物調理装置は、内部空間に調理室を備える本体と、上記調理室に配置される回転軸に動力を伝達して上記回転軸を回転させる回転モータと、上記回転軸と連結され、上記回転軸の回転に連動して回転する複数の回転板と、上記回転板の各々の上部に脱着可能に形成されるホルダーと、上記調理室の内側面に設けられて熱を発生させる複数の発熱装置と、を含む。
【００１４】
本発明の一実施態様に従う食べ物調理装置の動作方法は、本体の内部空間に備えられた調理室に配置される回転軸に回転モータを用いて動力を伝達して、上記回転軸と連結された複数の回転板を回転させるステップと、上記回転板の各々に脱着可能に形成されるホルダーに固定された食べ物に、発熱装置を用いて熱を発生させるステップと、を含む。
【００１５】
その他の実施態様の具体的な事項は、詳細な説明及び添付図面に含まれている。
【００１６】
本発明の利点及び／または特徴、そしてそれらを達成する方法は、添付図面と共に詳細に後述されている実施形態を参照すれば明確になる。しかしながら、本発明は以下に開示される実施形態に限定されず、互いに異なる多様な形態で具現され、単に本実施形態は本発明の開示を完全にし、本発明が属する技術分野で通常の知識を有する者に発明の範疇を完全に知らせるために提供されるものであり、本発明は特許請求範囲の範疇により定義される。明細書の全体に亘って同一の参照符号は同一の構成要素を示す。
【発明の効果】
【００１７】
本発明の一実施態様によれば、ビールを蒸発させて食べ物にしみ込むようにすることによって、食べ物を軟らかいながらもおいしく調理することができる。
【００１８】
本発明の一実施態様によれば、複数の回転板の各々に置かれる多数個のホルダーを用いて食べ物を大量に調理することができる。
【００１９】
本発明の一実施態様によれば、近赤外線ランプから照射される近赤外線を用いて食べ物を調理することで、調理時間を短縮することができる。
【００２０】
本発明の一実施態様によれば、ホルダーに備えられた排油樋部を通じて食べ物から排出される油が外に流れることを防止することによって、衛生的に食べ物を調理することができる。
【００２１】
本発明の一実施態様によれば、反射板を用いて近赤外線ランプから照射される近赤外線を反射することで、近赤外線の消耗を最小化して食べ物をより速かに調理することができる。
【００２２】
本発明の一実施態様によれば、近赤外線ランプから照射される近赤外線を用いて、煙吸込材燃焼引出しの内部に収容される煙吸込材を燃焼させ、煙吸込材の燃焼を通じて発生する煙を取出口を通じて調理室に取出させることによって、食べ物に煙をさらす調理法、即ち燻製法により食べ物を調理することができる。
【００２３】
本発明の一実施態様によれば、煙吸込材燃焼引出しの内部に収容される水を上記煙吸込材の燃焼を通じて水蒸気に気化させた後、取出口を通じて調理室に取出すことで、食べ物に水分を加えて食べ物が乾くことを防止することができる。
【００２４】
本発明の一実施態様によれば、複数の調光器を用いて各近赤外線ランプの明るさを調節することによって、食べ物が焦げるとか、生煮えになることなく、適切に煮えるようにすることができる。
【００２５】
本発明の一実施態様によれば、回転板の隅に形成される食べ物掛けを用いて食べ物を掛けておくことによって、チキン、鴨などを調理すると共に、ソーセージなどを調理することができる。
【００２６】
本発明の一実施態様によれば、近赤外線ランプの外部または内部にルビーコーティングを適用することによって、他の近赤外線ランプから照射される近赤外線、即ち反射される近赤外線を遮断することができ、これを通じて食べ物に近赤外線を集中できるようにする。
【００２７】
本発明の一実施態様によれば、近赤外線ランプの外部または内部にルビーコーティングを適用することによって、近赤外線ランプに油などの異質物が飛び散って付いた場合、異質物を容易に除去することができる。
【００２８】
本発明の一実施態様によれば、複数の収容空間が設けられた据置台を通じて、チキン、鴨などを調理すると共に、三枚肉、リブ（rib）、魚などを調理することができる。
【図面の簡単な説明】
【００２９】
【図１】本発明の一実施形態に従う食べ物調理装置の斜視図である。
【図２】本発明の一実施形態に従う食べ物調理装置の正面図である。
【図３】本発明の一実施形態に従う食べ物調理装置の内部側面図である。
【図４】図１のホルダーの詳細構成を示す図である。
【図５】本発明の一実施形態に従う食べ物調理装置に備えられる据置台を示す図である。
【図６】本発明の一実施形態に従う食べ物調理装置の動作方法を説明するために示すフローチャートである。
【発明を実施するための形態】
【００３０】
本発明の一実施形態に従う食べ物調理装置は、熱を発生させて、回転板の上に脱着可能に形成されるホルダーに固定された食べ物を調理することができる。ここで、上記食べ物調理装置は発熱装置であって、近赤外線ランプまたはガス式発熱装置を含むことができる。
【００３１】
本明細書では、発熱装置を近赤外線ランプに限定して説明する。これは、説明の便宜及び理解の容易のためのものであり、決して本発明の実施形態を限定するためのものではない。
【００３２】
参考に、上記ガス式発熱装置はガスを用いて熱を発生させる発熱装置であって、例えば熱反応特性を用いたブラウンガス発熱装置で具現できる。上記ブラウンガス発熱装置は、ブラウンガス発生器からブラウンガスの供給を受けて、上記供給されたブラウンガスをブラウンガスバーナーを用いて燃焼させて熱を発生させることができる。
【００３３】
以下、添付図面を参照しつつ本発明の実施形態を詳細に説明する。
【００３４】
図１は本発明の一実施形態に従う食べ物調理装置の斜視図であり、図２は本発明の一実施形態に従う食べ物調理装置の正面図であり、図３は本発明の一実施形態に従う食べ物調理装置の内部側面図である。
【００３５】
図１乃至図３に示すように、本発明の一実施形態に従う食べ物調理装置１００は、本体１０１、回転モータ１０２、複数の回転板１０４、近赤外線ランプ１０５、ホルダー１０６、反射板１０７、煙吸込材燃焼引出し１０８、コントロールボックス１１０、及びカバー１１６を含むことができる。
【００３６】
本体１０１は、内部空間に調理室を備える。上記調理室には、複数の回転板１０４、近赤外線ランプ１０５、ホルダー１０６、反射板１０７、煙吸込材燃焼引出し１０８などが設置できる。上記本体１０１は、錆がつかなくて腐食を防止することができ、強度も優れるステンレス材質で形成できる。
【００３７】
回転モータ１０２は、上記調理室に配置される回転軸１０３に動力を伝達して上記回転軸１０３を回転させる。回転モータ１０２は、本体１０１の下部に設置できるが、これに限定されず、本体の他の部分に設置することもできる。
【００３８】
回転板１０４は上記回転軸１０３と連結され、上記回転軸１０３の回転に連動して回転する。ここで、上記回転軸１０３は垂直方向に上記本体１０１の内部に備えられた調理室に配置できる。上記回転板１０４は、上記回転軸１０３と直角に、即ち水平方向に一定間隔離隔するように配置できる。
【００３９】
上記回転板１０４は円板形状で形成できるが、これに限定されず、多様な形態、例えば、四角形、多角形などで形成することもできる。上記回転板１０４には食べ物１２３を固定したホルダー１０６を多数個（例：最大８個）置くことができ、したがって、上記回転板１０４には、例えば最大２４頭のチキン／鴨を置くことができる。
【００４０】
上記回転板１０４の隅には、食べ物を掛けることができるように食べ物掛け１２２を形成できる。ここで、上記食べ物掛け１２２は環状で形成することができ、これを通じて使用者をしてソーセージのような食べ物を上記食べ物掛け１２２に掛けて上記食べ物を調理できるようにする。
【００４１】
近赤外線ランプ１０５は、上記調理室の内側面に設けて近赤外線を照射する。この際、近赤外線ランプ１０５は、上記複数の回転板１０４の各々と対応するように設置できる。したがって、上記回転板１０４の各々に置かれる食べ物１２３、即ちチキン、鴨などに上記近赤外線を直接に照射することによって、上記食べ物を速かに調理することができる（例：調理時間：１５〜２０分）。
【００４２】
また、近赤外線ランプ１０５は、上記調理室の両側面に配置されて、上記食べ物１２３にまんべんなく上記近赤外線を照射することによって、上記食べ物１２３の内外部がまんべんなく調理できるようにする。
【００４３】
また、上記近赤外線ランプ１０５は、その外部または内部にルビーコーティングを適用して形成できる。ここで、上記ルビーコーティングは、他の近赤外線ランプ１０５から照射される近赤外線、即ち反射される近赤外線を遮断する役目をすることによって、上記食べ物１２３に上記近赤外線が集中できるようにする。したがって、上記ルビーコーティングは、食べ物を速く調理して調理時間を短縮させることができるようにする。また、上記ルビーコーティングは、上記近赤外線ランプ１０５に油などの異質物が飛び散って付いた場合、上記異質物を容易に除去する役目をすることもできる。
【００４４】
ホルダー１０６は、上記回転板１０４の各々の上部に脱着可能に形成できる。上記ホルダー１０６は錆がつかなくて腐食を防止することができ、強度も優れるステンレス材質で形成できる。
【００４５】
上記ホルダー１０６は、図４に示すように、食べ物から排出される油を受ける排油樋部４０１、及び上記排油樋部４０１の上部に形成され、上記近赤外線によってビールが蒸発できるようにビールを収容し、上記食べ物を固定させることができるビール収容部４０２を含むことができる。
【００４６】
このように、上記ホルダー１０６に含まれた排油樋部４０１は、上記食べ物から排出される油が外に流れることを防止することによって、衛生的に上記食べ物を調理できるようにする。また、上記排油樋部４０１は使用者をして上記油を容易で、かつ便利に撤去できるようにする。
【００４７】
また、上記ビール収容部４０２は、内部に収容されたビールが上記近赤外線により蒸発するようにすることで、上記食べ物に上記ビールがしみ込んで上記食べ物がやさしく、かつおいしく調理されるようにすることができる。
【００４８】
反射板１０７は、上記近赤外線ランプ１０５と上記本体１０１の側面との間に設けられ、上記近赤外線ランプ１０５の方に開放されて、上記近赤外線ランプ１０５の一部を包囲するように形成できる。上記反射板１０７は、上記近赤外線ランプ１０５から照射される近赤外線がよく反射できる材質、例えば、アルミニウムのような材質で形成できる。
【００４９】
煙吸込材燃焼引出し１０８は、内部に煙吸込材が収容される引出し形態で形成できる。したがって、使用者は上記煙吸込材燃焼引出しに上記煙吸込材を入れたり出したりすることができる。煙吸込材燃焼引出し１０８は、上記近赤外線ランプ１０５のうち、最下部に設けられた近赤外線ランプ１０５の前方に配置され、上記近赤外線ランプ１０５から照射された近赤外線を用いて上記煙吸込材を燃焼させることができる。
【００５０】
煙吸込材燃焼引出し１０８の上部には、上記煙吸込材燃焼引出し１０８を貫通して形成される取出口１０９が形成できる。上記煙吸込材の燃焼により発生する煙は、上記取出口１０９を通じて上記調理室に取出できる。これによって、上記食べ物１２３に上記煙をさらす調理法、即ち燻製法により上記食べ物１２３を調理することができる。
【００５１】
また、上記煙吸込材燃焼引出しの内部には上記煙吸込材と共に水が収容できる。このような場合、上記水は上記煙吸込材の燃焼により水蒸気に気化された後、上記取出口１０９を通じて上記調理室に取出できる。したがって、上記食べ物に水分を加えて上記食べ物１２３が乾くことを防止することができる。
【００５２】
コントロールボックス１１０は、本体１０１の前側面に設けられて、上記食べ物調理装置１００の動作を制御することができる。コントロールボックス１１０は、デジタル温度計１１１、電源スイッチ１１２、回転スイッチ１１３、室内燈スイッチ１１４、及び複数の調光器１１５を含むことができる。
【００５３】
デジタル温度計１１１は、コントロールボックス１１０の上部に配置され、上記調理室の温度を測定してデジタルで表示できる。また、デジタル温度計１１１は、上記測定された温度によって上記近赤外線ランプ１０５の動作をオンまたはオフさせることができる。
【００５４】
例えば、デジタル温度計１１１は、上記調理室の温度が３００度に到達する場合、上記近赤外線ランプ１０５の動作をオフさせ、上記調理室の温度が３００度の下に下降する場合、上記近赤外線ランプ１０６の動作をオンさせることができる。したがって、デジタル温度計１１１は、上記調理室の温度を一定の範囲に維持することによって、上記食べ物１２３が焦げるとか、生煮えになることなく、適切に煮えるようにすることができる。
【００５５】
電源スイッチ１１２は、上記デジタル温度計１１１の下部に配置できる。上記電源スイッチ１１２は、使用者の操作によって上記食べ物調理装置１００の電源をオンまたはオフにさせることができる。
【００５６】
回転スイッチ１１３は、上記電源スイッチ１１２の下部に配置できる。上記回転スイッチ１１３は、上記回転モータ１０２の動作をオンまたはオフにさせることができる。
【００５７】
室内燈スイッチ１１４は、回転スイッチ１１３の下部に配置できる。上記室内燈スイッチ１１４は、上記本体１０１の内部に設けられて、上記調理室を照らす室内燈（図示せず）の動作をオンまたはオフにさせることができる。
【００５８】
複数の調光器１１５は、上記室内燈スイッチ１１４の下部に配置できる。上記複数の調光器１１５は、使用者の操作によって動作して、上記近赤外線ランプ１０５の明るさを調節することができる。したがって、使用者は上記複数の調光器１１５を用いて上記食べ物１２３が焦げるとか、生煮えになることなく、適切に煮えるようにすることができる。
【００５９】
上記複数の調光器１１５は、上記近赤外線ランプ１０５の個数に対応する個数だけ設けることができ、上記近赤外線ランプ１０５に対応する位置に設置できる。このように設ける理由は、使用者をして上記近赤外線ランプ１０５の各々をより容易に動作させることができるようにするためである。
【００６０】
一方、上記複数の調光器１１５は、使用者の操作によって上記近赤外線ランプ１０５を動作する場合、上記近赤外線ランプ１０５の動作状態を表示する表示ランプ（図示せず）を含むことができる。例えば、上記近赤外線ランプ１０５が動作中の場合、上記表示ランプは緑色光を出力できる一方、上記近赤外線ランプ１０５が停止中の場合、上記表示ランプは赤色光を出力することができる。
【００６１】
カバー１１６は、上記本体１０１の上部に形成されて、上記本体１０１の上部をカバーすることができる。上記カバー１１６の上部には上記本体１０１に水が浸透することを防止する放水屋根（図示せず）が形成できる。
【００６２】
また、上記食べ物調理装置１００は、複数の放熱口１１７、放熱ファン１１８、放熱ファンモータ１１９、キャスター１２０、ダンパー１２１、及び開閉扉１２５をさらに含むことができる。
【００６３】
複数の放熱口１１７は、上記本体１０１の側面に形成できる。
【００６４】
放熱ファン１１８は、上記調理室に発生した熱を上記放熱口１１７を通じて上記食べ物調理装置１００の外部に放出できる。
【００６５】
放熱ファンモータ１１９は、上記放熱ファン１１８に動力を伝達して上記放熱ファン１１８を回転させることができる。
【００６６】
キャスター１２０は、上記本体１０１の下部に設けられて上記本体１０１が移動可能にする。
【００６７】
ダンパー１２１は、上記本体１０１の上部に設けられて、上記本体１０１の振動を吸収することができる。
【００６８】
開閉扉１２５は、強化ガラスのように透明で、かつ強い材質で形成され、上記本体１０１の前面及び／または後面に設置できる。
【００６９】
一方、上記食べ物調理装置１００は、図５に示すように、食べ物を入れることができる複数の収容空間５０１を備える据置台５００をさらに含むことができる。上記据置台５００は、ステンレス材質で形成され、上記調理室に配置され、かつ例えば回転板１０４の上に配置されるか、最下部の回転板１０４の下、即ち本体１０１の下部に配置できる。
【００７０】
上記複数の収容空間５０１には、三枚肉、リブ（rib）、魚などが収容できる。したがって、使用者は上記複数の収容空間５０１を用いて、チキン、鴨などを調理すると共に、三枚肉、リブ、魚などを調理することができる。
【００７１】
図６は、本発明の一実施形態に従う食べ物調理装置の動作方法を説明するために示すフローチャートである。
【００７２】
図１及び図６を参照すると、ステップ６０１で、食べ物調理装置１００は本体１０１の内部空間に備えられた調理室に配置される回転軸１０３に回転モータ１０２を用いて動力を伝達して、上記回転軸１０３と連結された複数の回転板１０４を回転させる。これは、上記回転板１０４の上に置かれる食べ物１２３に近赤外線がまんべんによく照射されて、上記食べ物１２３がまんべんによく煮えるようにするためである。
【００７３】
次に、ステップ６０２で、上記食べ物調理装置１００は上記回転板１０４の各々に脱着可能に形成されるホルダー１０６に固定された食べ物１２３に、近赤外線ランプ１０５を用いて近赤外線を照射する。この際、上記食べ物調理装置１００は、調光器１１５の操作によって上記近赤外線ランプ１０５の明るさを調節することができる。
【００７４】
次に、ステップ６０３で、上記食べ物調理装置１００は上記近赤外線ランプ１０５と上記本体１０１の内部側面との間に設けられる反射板１０７を用いて、上記近赤外線ランプ１０５を通じて照射される近赤外線を反射させることができる。
【００７５】
一方、上記食べ物調理装置１００は、上記近赤外線を用いて煙吸込材燃焼引出し１０８に収容された煙吸込材を燃焼させ、上記煙吸込材の燃焼により発生する煙を上記煙吸込材燃焼引出し１０８の上部に貫通して形成された取出口１０９を通じて上記調理室に取出すことができる。
【００７６】
また、上記食べ物調理装置１００は、放熱ファンモータ１１９を用いて上記放熱ファンモータ１１９と連結された放熱ファン１１８を回転させて、上記本体１０１の側面に形成される複数の放熱口１１７を通じて、上記調理室に発生した熱を外部に放出できる。
【００７７】
今まで本発明に従う具体的な実施形態に関して説明したが、本発明の範囲から逸脱しない限度内では種々の変形が可能であることは勿論である。したがって、本発明の範囲は説明された実施形態に限定して定めてはならず、後述する特許請求の範囲だけでなく、この特許請求の範囲と均等なものにより定めるべきである。
【００７８】
以上、本発明は限定された実施形態と図面により説明したが、本発明は上記の実施形態に限定されるものではなく、これは本発明が属する分野で通常の知識を有する者であれば、このような記載から多様な修正及び変形が可能である。したがって、本発明の思想は特許請求範囲のみによって把握されなければならず、これらの均等または等価的変形の全ては本発明思想の範疇に含まれるものと解釈されるべきである。
【符号の説明】
【００７９】
１００    食べ物調理装置
１０１    本体
１０２    回転モータ
１０３    回転軸
１０４    回転板
１０５    近赤外線ランプ
１０６    ホルダー
１０７    反射板
１０８    煙吸込材燃焼引出し
１０９    取出口
１１０    コントロールボックス
１１６    カバー
１１７    放熱口
１１８    放熱ファン
１１９    放熱ファンモータ
１２０    キャスター
１２１    ダンパー
１２５    開閉扉
４０１    排油樋部
４０２    ビール収容部
５００    据置台
５０１    収容空間
【図１】
2011038765.tif 000003
【図２】
2011038765.tif 000004
【図３】
2011038765.tif 000005
【図４】
2011038765.tif 000006
【図５】
2011038765.tif 000007
【図６】
2011038765.tif 000008